(57)【要約】【課題】別途サーバマシンを設置する必要がなく、プリンタの障害発生時に効率的な印刷処理のリカバリーが可能なサーバ内蔵プリンタと、これを用いた印刷処理方法を提供する。【解決手段】本発明の印刷処理方法は、印刷手段１、サーバ手段２および印刷制御手段３を含み構成されたサーバ内蔵プリンタを用いて行うものであって、印刷手段１の障害発生の有無を検出する第１の工程と、この第１の工程において印刷手段１に障害の発生が検出された場合、クライアント装置から送られたプリントジョブをサーバ手段２に保存する第２の工程と、印刷手段１の復旧後に前記第２の工程において保存されたプリントジョブをサーバ手段２から読み出し、そのプリントジョブを実行する第３の工程と、を含むことを特徴とする。【選択図】　　　図３
2004130686.tif 000002
【特許請求の範囲】
【請求項１】
クライアント装置から送られたプリントジョブを実行するプリンタであって、
画像等の出力を行う印刷手段と、
前記クライアント装置から送られたプリントジョブを保存するサーバ手段と、
前記印刷手段を制御して前記印刷手段に前記サーバ手段に保存されているプリントジョブを実行させる印刷制御手段と、
を備えたことを特徴とするサーバ内蔵プリンタ。
【請求項２】
前記印刷制御手段は、ネットワークを介して接続されている他の印刷手段を制御することを特徴とする請求項１に記載のサーバ内蔵プリンタ。
【請求項３】
請求項１または２に記載のサーバ内蔵プリンタを用いて行う印刷処理方法であって、
前記印刷手段の障害発生の有無を検出する第１の工程と、
この第１の工程において前記印刷手段に障害の発生が検出された場合、前記クライアント装置から送られたプリントジョブを前記サーバ手段に保存する第２の工程と、
前記印刷手段の復旧後に前記第２の工程において保存されたプリントジョブを前記サーバ手段から読み出し、そのプリントジョブを実行する第３の工程と、
を含むことを特徴とする印刷処理方法。
【請求項４】
前記第３の工程は、前記印刷手段が復旧した場合に自動的に実行されることを特徴とする請求項３に記載の印刷処理方法。
【請求項５】
ネットワークを介して接続された複数の請求項１または２に記載のサーバ内蔵プリンタを用いて行う印刷処理方法であって、
前記印刷手段の障害発生の有無を検出する第１の工程と、
この第１の工程において前記印刷手段に障害の発生が検出された場合、前記サーバ手段に前記クライアント装置から送られたプリントジョブを保存する第２の工程と、
ネットワークを介して接続されている他のプリンタでの代行印刷が可能か否かを検出する第３の工程と、
この第３の工程において代行印刷が可能であると検出された場合、前記第２の工程で保存されたプリントジョブを前記サーバ手段から読み出し、そのプリントジョブをネットワークを介して代行印刷が可能な他のプリンタへ送信する第４の工程と、
を含むことを特徴とする印刷処理方法。
【請求項６】
ネットワークを介して接続された複数の請求項１または２に記載のサーバ内蔵プリンタを用いて行う印刷処理方法であって、
前記印刷手段が稼動中であるか否かを検出する第１の工程と、
この第１の工程で前記印刷手段が稼動中であることが検出された場合、前記クライアント装置から送られたプリントジョブを前記サーバ手段に保存する第２の工程と、
前記印刷手段が所定の時間内に稼動終了したか否かを検出する第３の工程と、
この第３の工程において前記印刷手段が所定の時間内に稼動終了しないことが検出された場合、ネットワークを介して接続されている他のプリンタでの代行印刷が可能か否かを検出する第４の工程と、
この第４の工程において代行印刷が可能であると検出された場合、前記第２の工程で保存されたプリントジョブを前記サーバ手段から読み出し、そのプリントジョブをネットワークを介して代行印刷が可能な他のプリンタへ送信する第５の工程と、
を含むことを特徴とする印刷処理方法。
【請求項７】
前記第３の工程において前記印刷手段が所定の時間内に稼動終了したことが検出された場合、前記第２の工程において保存されたプリントジョブを前記サーバ手段から読み出し、そのプリントジョブを実行することを特徴とする請求項６に記載の印刷処理方法。
【請求項８】
前記第４の工程において代行印刷が不可能であると検出された場合、再度前記印刷手段の稼動が終了したか否かの検出を行うことを特徴とする請求項６に記載の印刷処理方法。
【発明の詳細な説明】
【０００１】
【発明の属する技術分野】
本発明は、プリンタの障害発生時に印刷処理のリカバリーが行えるサーバ機能を搭載したサーバ内蔵プリンタと、このサーバ内蔵プリンタを用いた印刷処理方法に関する。
【０００２】
【従来の技術】
従来、ネットワークに接続されたプリンタは、同じネットワークに接続されたプリントサーバを経由してプリンタの制御信号や印刷データを受け取り、画像等の印刷処理を行う（特許文献１を参照。）。
【０００３】
【特許文献１】
特開平９−２３１０２５号公報（第５頁、図１）
【０００４】
【発明が解決しようとする課題】
プリントサーバには、通常サーバマシン（パーソナルコンピュータ）が用いられる。サーバマシンが別に必要になると、サーバマシンの管理が必要になり、またこのサーバマシンを設置するためのスペースも必要になる。
【０００５】
ネットワーク上にプリンタとは別にサーバマシンがあると、プリントジョブがクライアント装置（プリント要求元）→サーバマシン→プリンタというように、サーバマシン経由で流れるためネットワーク上を流れるデータのトラフィックが多くなってしまう。この結果、ネットワーク上のデータ転送に遅延が生じることにもなりかねない。また、すべてのプリントジョブはプリントサーバを経由してプリンタへ送られるので、万一プリントサーバに障害が発生した場合、全体のプリント環境に悪影響を及ぼしてしまう。
【０００６】
一方、プリンタに障害が発生した場合には、プリンタの復旧後にプリントジョブを送り直す必要があるので、印刷処理時間にロスが生じる。なお、従来のプリンタでも、プリンタ内部に記憶媒体を設け、この記憶媒体にプリントジョブを一時的に保存し、プリンタ障害の解消後に前記記憶媒体に保存されているプリントジョブを読み出して印刷処理を再開できるようにしたものもある。しかし、特に保存すべきプリントジョブの容量が大きい場合には、完全な印刷処理のリカバリーはできない。
【０００７】
この発明は、上述した従来技術による問題点を解消するため、別途サーバマシンを設置する必要がなく、プリンタの障害発生時に効率的な印刷処理のリカバリーが可能なサーバ内蔵プリンタと、これを用いた印刷処理方法を提供することを目的とする。
【０００８】
【課題を解決するための手段】
上述した課題を解決し、目的を達成するため、請求項１の発明にかかるサーバ内蔵プリンタは、クライアント装置から送られたプリントジョブを実行するプリンタであって、画像等の出力を行う印刷手段と、前記クライアント装置から送られたプリントジョブを保存するサーバ手段と、前記印刷手段を制御して前記印刷手段に前記サーバ手段に保存されているプリントジョブを実行させる印刷制御手段とを備えたことを特徴とする。
【０００９】
この請求項１の発明によれば、ネットワーク上にサーバマシンを別途設置する必要がないため、ネットワーク上を流れるプリントジョブ等の経由箇所を少なくすることができる。この結果、ネットワーク上の負荷を軽減し、効率的な印刷処理が可能になる。また、前記印刷手段に障害が発生した場合等には、前記サーバ手段にプリントジョブを保存できるので、印刷処理のリカバリーに対応しやすい。
【００１０】
また、請求項２の発明にかかるサーバ内蔵プリンタは、請求項１に記載の発明において、前記印刷制御手段は、ネットワークを介して接続されている他の印刷手段を制御することを特徴とする。
【００１１】
この請求項２の発明によれば、ネットワークを介して接続されている複数のプリンタのうちのいずれかに障害が発生しても、他のプリンタにプリントジョブを実行させることができるため、印刷処理時間のロスを低減でき、効率的な印刷処理を行うことが可能になる。
【００１２】
また、請求項３の発明にかかる印刷処理方法は、請求項１または２に記載された発明のサーバ内蔵プリンタを用いて行うものであって、前記印刷手段の障害発生の有無を検出する第１の工程と、この第１の工程において前記印刷手段に障害の発生が検出された場合、前記クライアント装置から送られたプリントジョブを前記サーバ手段に保存する第２の工程と、前記印刷手段の復旧後に前記第２の工程において保存されたプリントジョブを前記サーバ手段から読み出し、そのプリントジョブを実行する第３の工程と、を含むことを特徴とする。
【００１３】
この請求項３の発明によれば、前記印刷手段に障害が発生した場合、例え前記プリントジョブが比較的大容量のものであってもそれを前記サーバ手段に保存しておくことができるため、前記印刷手段の復旧後前記クライアント装置からプリントジョブの再送を受ける必要がなく、効率的な印刷処理の再開が可能になる。
【００１４】
また、請求項４の発明にかかる印刷処理方法は、請求項３に記載の発明において、前記第３の工程は前記印刷手段が復旧した場合に自動的に実行されることを特徴とする。
【００１５】
この請求項４の発明によれば、より効率的な印刷処理の再開が可能となる。
【００１６】
また、請求項５の発明にかかる印刷処理方法は、請求項１または２に記載の発明のサーバ内蔵プリンタを用いて行うものであって、ネットワークを介して接続された複数のサーバ内蔵プリンタを用いて、前記印刷手段の障害発生の有無を検出する第１の工程と、この第１の工程において前記印刷手段に障害の発生が検出された場合、前記サーバ手段に前記クライアント装置から送られたプリントジョブを保存する第２の工程と、ネットワークを介して接続されている他のプリンタでの代行印刷が可能か否かを検出する第３の工程と、この第３の工程において代行印刷が可能であると検出された場合、前記第２の工程で保存されたプリントジョブを前記サーバ手段から読み出し、そのプリントジョブをネットワークを介して代行印刷が可能な他のプリンタへ送信する第４の工程と、を含むことを特徴とする。
【００１７】
この請求項５の発明によれば、自プリンタの印刷手段に障害が発生した場合でも、ネットワークを介して接続されている他のプリンタにおいて代行印刷を行うことができる。
【００１８】
また、請求項６の発明にかかる印刷処理方法は、請求項１または２に記載の発明のサーバ内蔵プリンタを用いて行うものであって、ネットワークを介して接続された複数のサーバ内蔵プリンタを用い、前記印刷手段が稼動中であるか否かを検出する第１の工程と、この第１の工程で前記印刷手段が稼動中であることが検出された場合、前記クライアント装置から送られたプリントジョブを前記サーバ手段に保存する第２の工程と、前記印刷手段が所定の時間内に稼動終了したか否かを検出する第３の工程と、この第３の工程において前記印刷手段が所定の時間内に稼動終了しないことが検出された場合、ネットワークを介して接続されている他のプリンタでの代行印刷が可能か否かを検出する第４の工程と、この第４の工程において代行印刷が可能であると検出された場合、前記第２の工程で保存されたプリントジョブを前記サーバ手段から読み出し、そのプリントジョブをネットワークを介して代行印刷が可能な他のプリンタへ送信する第５の工程と、を含むことを特徴とする。
【００１９】
この請求項６の発明によれば、自プリンタの印刷手段が稼動中であっても、自プリンタの印刷手段の稼動終了を待つまでもなく、ネットワークを介して接続されている他のプリンタにおいて代行印刷を行うことができる。
【００２０】
また、請求項７の発明にかかる印刷処理方法は、請求項６に記載の発明において、前記第３の工程において前記印刷手段が所定の時間内に稼動終了したことが検出された場合、前記第２の工程において保存されたプリントジョブを前記サーバ手段から読み出しそのプリントジョブを実行することを特徴とする。
【００２１】
この請求項７の発明によれば、自プリンタの印刷手段の稼動終了までわずかな時間であれば、代行印刷を行うまでもなく、自プリンタの印刷手段の稼動終了を待ってプリントジョブを実行することができる。
【００２２】
また、請求項８の発明にかかる印刷処理方法は、請求項６に記載の発明において、前記第４の工程において代行印刷が不可能であると検出された場合、再度前記印刷手段の稼動が終了したか否かの検出を行うことを特徴とする。
【００２３】
この請求項８の発明によれば、ネットワークを介して接続されている他のプリンタでの代行印刷が不可能な場合には、再度プリンタの印刷手段の稼動終了を検出し、自プリンタでの処理を選択することもできる。
【００２４】
【発明の実施の形態】
以下に添付図面を参照して、この発明にかかるサーバ内蔵プリンタとこれを用いた印刷処理方法の好適な実施の形態を詳細に説明する。
【００２５】
図１は、本発明のサーバ内蔵プリンタの概略構成を示す図である。本発明のサーバ内蔵プリンタは、印刷手段１と、サーバ手段２と、印刷制御手段３と、を含み構成される。
【００２６】
印刷手段１は、画像等の出力を行う。サーバ手段２は、ハードディスクを備えて構成され、図示しないクライアント装置から送られたプリントジョブを保存する。印刷制御手段３は、ＣＰＵ等を用いて構成され、所定のプログラム（詳細は後述する）が記憶されている記憶媒体を備えている。印刷制御手段３は、その記憶媒体に記憶されているプログラムを実行することにより、印刷手段１を制御してサーバ手段２に保存されているプリントジョブを実行させる。
【００２７】
以上のように、本発明のサーバ内蔵プリンタは、サーバ機能と印刷機能が一体化されているので機器管理がしやすく、外部のサーバマシンとプリンタとの間のデータのやりとりをネットワークを介して行う必要がないので、ネットワーク上のデータのトラフィックを緩和できる。本発明のサーバ内蔵プリンタは、サーバマシンを経由しないでプリントジョブを受け取ることができるため、印刷手段１が直ちに印刷できる状態になっていれば、プリントジョブを受け取り後、直ちに印刷処理を実行でき、データ転送時間のロスの少ない快適な印刷環境を実現できる。
【００２８】
また、本発明のサーバ内蔵プリンタは、印刷手段１に障害が発生したり、印刷手段１に格納されている印刷用紙やトナー等の消耗品がなくなったりした場合でも、再度プリントジョブの送信を受けなくても、印刷手段１の復旧後直ちにサーバ手段２に保存されたプリントジョブを実行することができ、印刷処理再開までの時間的なロスを最小限にすることができる。印刷制御手段３の設定により、印刷手段１の復旧後自動的にサーバ手段２に保存されているプリントジョブを実行することもできる。サーバ手段２にはハードディスクが備えられていることから、プリントジョブの容量が大きくても対応できる。
【００２９】
また、本発明のサーバ内蔵プリンタは、ハードディスクを備えたサーバ手段２を設けているが、近年ハードディスクの小型化が促進されているので、装置自体コンパクトに構成することができる。
【００３０】
図２は、本発明のサーバ内蔵プリンタの一使用例を示す図である。図では、複数のクライアント装置（パーソナルコンピュータ）と複数の本発明のサーバ内蔵プリンタがネットワークを介して接続されている様子を示している。
【００３１】
図２に示すネットワーク構成において、例えばクライアント装置１１から送られたプリントジョブ（矢印Ａ）を第１のプリンタ２１で処理しようとしたが第１のプリンタ２１の印刷手段に障害が発生している場合、第１のプリンタ２１が受け取ったプリントジョブをそのまま第２のプリンタ２２へ転送すれば（矢印Ｂ）、第１のプリンタ２１の復旧を待たずに第２のプリンタ２２で印刷処理が可能になる。すなわち、第２のプリンタ２２で第１のプリンタ２１の代行印刷ができる。
【００３２】
また、例えば、第１のプリンタ２１の印刷制御手段３で第２のプリンタ２２および第３のプリンタ２３の印刷手段１の制御を可能にしておけば、第１のプリンタ２１の印刷手段１に障害が発生した場合、直ちに第２のプリンタ２２または第３のプリンタ２３での代行印刷が可能である。このようにすることで、効率的な印刷処理が実現できる。
【００３３】
また、第１のプリンタ２１の印刷制御手段３で第２のプリンタ２２および第３のプリンタ２３の印刷手段１の制御を可能にしておけば、ネットワーク上に第１のプリンタ２１（本発明のサーバ内蔵プリンタ）を１台設置すれば、あとは通常のプリンタを設置するだけですべてのプリンタでの印刷処理が可能なる。
【００３４】
次に、本発明のサーバ内蔵プリンタを用いた印刷方法を実行するための手順について詳細に説明する。ここに示す方法は、図２に示したように、クライアント装置と複数の本発明のプリンタがネットワークを介して接続されていることを前提とする。本発明のサーバ内蔵プリンタの印刷は、印刷制御手段３に備えられている記憶媒体に記憶されているプログラムにしたがって行われる。図３は、このサーバ内蔵プリンタを用いた印刷方法の実行手順を示すフローチャートである。
【００３５】
１）本発明のサーバ内蔵プリンタは、クライアント装置１１からのプリントジョブを受けて印刷処理を開始する。印刷制御手段３は、クライアント装置１１からのプリントジョブを受けると、印刷手段１の状態を把握する（ステップＳ１）。印刷手段１に障害が発生していない場合は（ステップＳ１：Ｎｏ）、ステップＳ２へ進み、印刷手段１に障害が発生している場合は（ステップＳ１：Ｙｅｓ）、ステップＳ４へ進む。
【００３６】
２）ステップＳ１において印刷手段１に障害が発生していない場合（ステップＳ１：Ｎｏ）、印刷制御手段３は、印刷手段１が稼動中か否かを検出する（ステップＳ２）。印刷手段１が稼動中でない場合は（ステップＳ２：Ｎｏ）、ステップＳ３へ進み、印刷手段１が稼動中である場合には（ステップＳ２：Ｙｅｓ）、ステップＳ１１へ進む。
【００３７】
３）印刷手段１が稼動中でない場合（ステップＳ２：Ｎｏ）、印刷制御手段３は前記クライアント装置１１から送られたプリントジョブを印刷手段１に実行させ、画像等の出力を行う（ステップＳ３）。
【００３８】
４）ステップＳ１において印刷手段１に障害が発生している場合（ステップＳ１：Ｙｅｓ）、印刷制御手段３は、前記クライアント装置１１から送られてきたプリントジョブをサーバ手段２に保存する（ステップＳ４）。
【００３９】
５）印刷制御手段３は、内部の記憶媒体に記憶されているプログラムに規定されている所定の時間内に印刷手段１が復旧したか否かを検出する（ステップＳ５）。印刷手段１が所定時間内に復旧した場合には（ステップＳ５：Ｙｅｓ）、ステップＳ６へ進み、印刷手段１が所定時間内に復旧しなかった場合は（ステップＳ５：Ｎｏ）、ステップＳ７へ進む。
【００４０】
６）ステップＳ５において印刷手段１が所定時間内に復旧した場合（ステップＳ５：Ｙｅｓ）、印刷制御手段３は、ステップＳ４において保存されたプリントジョブをサーバ手段２から読み出す（ステップＳ６）。この後、ステップＳ２へ戻り、処理を続行する。
【００４１】
７）ステップＳ５において印刷手段１が所定時間内に復旧しなかった場合（ステップＳ５：Ｎｏ）、印刷制御手段３は、ネットワークを介して接続されている他のプリンタでの代行印刷が可能か否かを検出する（ステップＳ７）。代行印刷が可能である場合は（ステップＳ７：Ｙｅｓ）、ステップＳ８へ進み、代行印刷が不可能な場合は（ステップＳ７：Ｎｏ）、ステップＳ１０へ進む。
【００４２】
８）ステップＳ７において代行印刷が可能であると検出された場合（ステップＳ７：Ｙｅｓ）、印刷制御手段３は、ステップＳ４において保存されたプリントジョブをサーバ手段２から読み出す（ステップＳ８）。
【００４３】
９）印刷制御手段３は、ステップＳ７においてサーバ手段２から読み出したプリントジョブを代行印刷を行うプリンタに向けて送信する（ステップＳ９）。
【００４４】
１０）ステップＳ７において代行印刷が不可能であると検出された場合（ステップＳ７：Ｎｏ）、人手による印刷手段１の障害除去作業に移る（ステップＳ１０）。
【００４５】
１１）ステップＳ２において印刷手段１が稼動中であることが検出された場合（ステップＳ２：Ｙｅｓ）、印刷制御手段３は前記クライアント装置１１から送られたプリントジョブをサーバ手段２に保存する（ステップＳ１１）。
【００４６】
１２）印刷制御手段３は、内部の記憶媒体に記憶されているプログラムに規定されている所定の時間内に印刷手段１の稼動が終了したか否かを検出する（ステップＳ１２）。所定の時間内に印刷手段１の稼動が終了した場合は（ステップＳ１２：Ｙｅｓ）、ステップＳ１３へ進み、所定の時間内に印刷手段１の稼動が終了しない場合は（ステップＳ１２：Ｎｏ）、ステップＳ１４へ進む。
【００４７】
１３）ステップＳ１２において所定の時間内に印刷手段１の稼動が終了した場合（ステップＳ１２：Ｙｅｓ）、印刷制御手段３は、ステップＳ１１において保存されたプリントジョブをサーバ手段２から読み出す（ステップＳ１３）。この後、ステップＳ３へ戻り、処理を続行する。
【００４８】
１４）ステップＳ１２において所定の時間内に印刷手段１の稼動が終了しない場合（ステップＳ１２：Ｎｏ）、印刷制御手段３は、ネットワークを介して接続されている他のプリンタでの代行印刷が可能であるか否かを検出する（ステップＳ１４）。代行印刷が可能である場合は（ステップＳ１４：Ｙｅｓ）、ステップＳ１５へ進む。代行印刷が不可能な場合は（ステップＳ１４：Ｎｏ）、ステップＳ１２へ戻り、処理を続行する。
【００４９】
１５）代行印刷が可能な場合には（ステップＳ１４：Ｙｅｓ）、印刷制御手段３は、ステップＳ１１において保存されたプリントジョブをサーバ手段２から読み出す（ステップＳ１５）。この後、ステップＳ９へ進み、代行印刷処理を行う。
【００５０】
ところで、ステップＳ７およびステップＳ１４において、ネットワークを介して接続されている他のプリンタでの代行印刷の可能性を検出しているが、これを前記クライアント装置１１で送信するプリントジョブに、あらかじめ他のプリンタでの代行印刷を行うか否かの設定をしておいてもよい。このようにすれば、代行印刷を実行するか否かをユーザの意志に委ねることができる。
【００５１】
また、同様に、前記クライアント装置１１で送信するプリントジョブに、ステップＳ５およびステップＳ１２における印刷手段１の状態の如何を問わず、直ちに代行印刷処理に移行する旨の設定をしておけば、印刷手段１の稼動終了時間を考慮することなく、直ちに代行印刷処理を実行することができる。
【００５２】
また、前述のように、印刷手段１の復旧または稼動終了までの待ち時間はあらかじめ印刷制御手段３うちの記憶媒体に記憶されているプログラムに規定されているが、この待ち時間はユーザが任意に変更可能である。
【００５３】
以上のような手順を経ることにより、本発明のサーバ内蔵プリンタでは、印刷手段１に障害が発生した場合、一時的にサーバ手段２にプリントジョブを保存し、印刷手段１の復旧を待って自動的に印刷処理を再開することが可能である。したがって、印刷手段１の復旧時に再度クライアント装置１１からプリントジョブの送信を受ける必要がないため、印刷手段１の復旧時から画像出力までの時間を短縮し、良好な印刷環境を実現できる。
【００５４】
また、所定の時間内に印刷手段１の復旧ができなくても、ネットワークを介して接続された他のプリンタを使っての画像出力が可能であるため、効率的な印刷処理を行うことができる。これは、印刷手段１が稼動中で直ちに新たなプリントジョブの実行ができない場合であっても同様である。
【００５５】
以上、本発明の一実施形態を図面に沿って説明した。しかしながら、本発明はこの実施の形態に示した事項に限定されず、特許請求の範囲の記載に基づいてその変更、改良等が可能であることは云うまでもない。例えば、本発明のサーバ内蔵プリンタにマルチファンクション機能を備えることも可能である。
【００５６】
なお、本実施の形態で説明した印刷処理方法は、あらかじめ用意されたプログラムをサーバ内蔵プリンタで実行することにより実現することができる。このプログラムは、ハードディスク、フレキシブルディスク、ＣＤ−ＲＯＭ、ＭＯ、ＤＶＤ等のコンピュータ（ＰＣ）で読み取り可能な記録媒体に記録され、記録媒体から読み出してサーバ内蔵プリンタの記憶媒体に転送することができる。またこのプログラムは、インターネット等のネットワークを介して配布することが可能な伝送媒体であってもよい。
【００５７】
【発明の効果】
以上説明したように、この発明によれば、別途サーバマシンを設置する必要がなく、プリンタの障害発生時に効率的な印刷処理のリカバリーが可能という効果を奏する。
【図面の簡単な説明】
【図１】本発明のサーバ内蔵プリンタの概略構成を示す図である。
【図２】本発明のサーバ内蔵プリンタの一使用例を示す図である。
【図３】本発明のサーバ内蔵プリンタを用いた印刷方法の実行手順を示すフローチャートである。
【符号の説明】
１　印刷手段
２　サーバ手段
３　印刷制御手段
１１　クライアント装置
２１　第１のプリンタ
２２　第２のプリンタ
２３　第３のプリンタ
【図１】
2004130686.tif 000003
【図２】
2004130686.tif 000004
【図３】
2004130686.tif 000005